(57)【特許請求の範囲】
【請求項１】
作像装置で像担持体上に繰り返し画像を形成し、その画像を逐次記録媒体に転写してその転写画像を定着装置で定着し、記録媒体に画像を形成する画像形成装置において、
前記作像装置に設ける像担持体露出開口に保護部材を設け、
その保護部材を前記作像装置に、前記像担持体を被う保護位置とその保護位置から前記定着装置側に移動して前記像担持体を露出する非保護位置とに移動自在に備えるとともに、
前記作像装置を、画像を形成するときの位置のまま、ジャムした記録媒体を前記定着装置側から戻したとき、その記録媒体が前記作像装置内に入り込むことを阻止するジャム紙突当て部を前記保護部材に設けてなる、画像形成装置。
【請求項２】
前記ジャム紙突当て部を、前記保護部材が保護位置にあるとき前記ジャム紙を突き当てる第１突当て部分と、前記保護部材が非保護位置にあるとき前記ジャム紙を突き当てる第２突当て部分とで構成してなる、請求項１に記載の画像形成装置。
【請求項３】
像担持体と像担持体露出開口を有し、画像形成装置本体に対して着脱自在に設け、前記画像形成装置本体に取り付けて前記像担持体上に繰り返し画像を形成し、その画像を逐次記録媒体に転写する作像装置において、
前記像担持体露出開口に保護部材を設け、
その保護部材を、前記像担持体を被う保護位置と、前記画像形成装置本体に取り付けたときその保護位置から定着装置側に移動して前記像担持体を露出する非保護位置とに移動自在に備えるとともに、
前記画像形成装置本体に取り付けて、画像を形成するときの位置のまま、ジャムした記録媒体を前記定着装置側から戻したとき、その記録媒体が前記作像装置内に入り込むことを阻止するジャム紙突当て部を前記保護部材に設けてなる、作像装置。
【発明の詳細な説明】
【０００１】
【発明の属する技術分野】
この発明は、たとえばレーザを用いた、複写機・プリンタ・ファクシミリやそれらの複合機など、帯電・光書込み・現像・転写・クリーニング等を繰り返して用紙に画像を記録する画像形成装置に関する。および、そのような画像形成装置において、像担持体と像担持体露出開口を有し、画像形成装置本体に対して着脱自在に設ける作像装置に関する。
【０００２】
【従来の技術】
従来、この種の画像形成装置の中に、その装置本体内に、たとえば図４に示すように、符号１で示す作像装置を転写装置２の上側に備えたものがある。作像装置１は、感光体（像担持体）３とともに、帯電装置４・現像装置５・クリーニング装置６を一体に設け、作像ケース１ａの底部に開口１ｂを設ける一方、その開口位置に感光体３を保護するシャッタ７を移動自在に設けていた。
【０００３】
そして、その作像装置１では、装置本体内に転写装置２を組み込んだとき、それに連動してシャッタ７を感光体３の下側を開放した非保護位置に移動する一方、メンテナンスのために作像装置１を装置本体内から取り出すときやジャム処理時は、転写装置２を取り出してシャッタ７を図中鎖線で示す保護位置に移動し、該シャッタ７で感光体３の表面を被って保護していた。
【０００４】
他方、このような画像形成装置では、たとえば感光体３上の画像を用紙に転写した後に、その用紙がジャムしたときは、たとえば図示しないジャム処理用のノブを回動操作して定着装置９の定着ローラ９ａを回転し、ジャム紙ａを逆送りして定着装置９から出していた。
【０００５】
【発明が解決しようとする課題】
ところが、上述のような従来の画像形成装置では、ジャム処理時に定着装置９側からジャム紙ａを逆送りするとき、そのジャム紙ａが開口１ｂから作像装置１内に入り込んでしまうことがある。そのように作像装置１内にジャム紙ａが入り込んでしまうと、それを取り除く作業が面倒になるという課題があった。
【０００６】
【課題を解決するための手段】
そこで、請求項１に記載の発明は、たとえば以下の図示実施の形態に示すとおり、作像装置Ａで感光体１１のような像担持体上に繰り返し画像を形成し、その画像を逐次用紙Ｐのような記録媒体に転写してその転写画像を定着装置１６で定着し、記録媒体に画像を形成する画像形成装置において、前記作像装置Ａに設ける像担持体露出開口２０ａにシャッタ２５のような保護部材を設け、その保護部材を前記作像装置Ａに、前記像担持体を被う保護位置とその保護位置から前記定着装置１６側に移動して前記像担持体を露出する非保護位置とに移動自在に備えるとともに、前記作像装置Ａを、画像を形成するときの位置のまま、ジャムした記録媒体を前記定着装置１６側から戻したとき、その記録媒体が前記作像装置Ａ内に入り込むことを阻止するジャム紙突当て部２５ｂを前記保護部材に設けてなる、ことを特徴とする。
【０００７】
そして、ジャム処理時に、作像装置Ａを、画像を形成するときの位置のまま、定着装置１６側からジャム紙Ｓを戻すとき、そのジャム紙Ｓが作像装置Ａに向かうと、そのジャム紙Ｓを保護部材のジャム紙突当て部２５ｂに突き当てる。
【０００８】
請求項２に記載の発明は、そのような請求項１に記載の画像形成装置において、たとえば以下の図示実施の形態に示すとおり、前記ジャム紙突当て部２５ｂを、前記保護部材が保護位置にあるとき前記ジャム紙Ｓを突き当てる第１突当て部分２５ｃと、前記保護部材が非保護位置にあるとき前記ジャム紙Ｓを突き当てる第２突当て部分２５ｄとで構成してなる、ことを特徴とする。
【０００９】
そして、ジャム処理時に定着装置１６側からジャム紙Ｓを戻すとき、保護部材が保護位置にあると、ジャム紙Ｓの後端がジャム紙突当て部２５ｂの第１突当て部分２５ｃに突き当たり、保護部材が非保護位置にあると、第２突当て部分２５ｄに突き当たる。
請求項３に記載の発明は、像担持体と像担持体露出開口を有し、画像形成装置本体に対して着脱自在に設け、前記画像形成装置本体に取り付けて前記像担持体上に繰り返し画像を形成し、その画像を逐次記録媒体に転写する作像装置において、前記像担持体露出開口に保護部材を設け、その保護部材を、前記像担持体を被う保護位置と、前記画像形成装置本体に取り付けたときその保護位置から定着装置側に移動して前記像担持体を露出する非保護位置とに移動自在に備えるとともに、前記画像形成装置本体に取り付けて、画像を形成するときの位置のまま、ジャムした記録媒体を前記定着装置側から戻したとき、その記録媒体が前記作像装置内に入り込むことを阻止するジャム紙突当て部を前記保護部材に設けてなる、ことを特徴とする。
【００１０】
【発明の実施の形態】
以下、図面を参照しつつ、この発明の実施の形態について説明する。
図３は、この発明の一実施の形態である画像形成装置の概略構成を示す。
【００１１】
図中符号１０は、装置本体である。装置本体１０内には、その中央にドラム状の感光体１１を備え、感光体１１の周りに矢印で示す回転方向に順に、帯電装置１２、現像装置１３、転写装置１４、クリーニング装置１５を備える。また、クリーニング装置１５の図中左側に定着装置１６を備え、帯電装置１２の上側に光書込み装置１７を備える。さらに、装置本体１０の図中右側に給紙カセット１８を着脱自在に備える。
【００１２】
そして、画像記録時、給紙カセット１８から用紙Ｐを送り出し、レジストロ−ラ１９でタイミングをとって感光体１１の下側へ搬送する。感光体１１は、その回転にともない帯電装置１２で表面を一様に帯電し、光書込み装置１７からレ−ザ光Ｌを照射して表面上に静電潜像を形成し、現像装置１３位置を通るとき静電潜像を逐次可視像化する。そして、この可視像を、感光体１１の下側で用紙Ｐに転写装置１４で転写する。画像転写後、感光体１１の表面をクリ−ニング装置１５で清掃する一方、用紙Ｐを定着装置１６に搬送し、そこで熱と圧力を加えて転写画像を定着して排紙トレイ２１上へと排出する。
【００１３】
ところで、上述した画像形成装置では、感光体１１を、帯電装置１２・現像装置１３・クリーニング装置１５とともに、一体にまとめて作像装置Ａを構成する。作像装置Ａは、図１に示すように、まわりを作像ケース２０で被って装置本体１０内に着脱自在に設ける。作像ケース２０は、感光体１１の軸方向に長い箱形をなし、その底部に感光体１１の軸方向に感光体露出開口２０ａを設けてなる。
【００１４】
また、作像装置Ａは、作像ケース２０の両端部に、リンク２６の基端を軸２７を中心として回動自在に取り付け、それらリンク２６を付勢ばね（図示省略）で図１中反時計方向に回動付勢してなる。さらに、そのリンク２６の先端にシャッタ（保護部材）２５を取り付けてなる。シャッタ２５は、その両端ほぼ中央に軸２８を設け、その軸２８を中心としてリンク２６に回動自在に取り付け、一端をそのリンク２６に取り付けた別の付勢ばね（図示省略）で図１中反時計方向に回動付勢してなる。
【００１５】
このシャッタ２５は、たとえば樹脂材料で長手板状につくり、図中右側側部を保護カバー部２５ａとし、その保護カバー部２５ａの軸２８近くを曲げ起こしてそこにジャム紙突当て部２５ｂを形成してなる。そして、そのジャム紙突当て部２５ｂを、さらにく字状に曲げてその側縁側の一方を第１突当て部分２５ｃとし、他方を第２突当て部分２５ｄとしてなる。
【００１６】
そして、作像装置Ａでは、図１に示すように転写装置１４を装置本体１０内に組み込んだ状態のとき、転写装置１４に設ける係合凸部（図示省略）がリンク２６と係合し、該リンク２６をその付勢ばねに抗して回動し、シャッタ２５を感光体１１を露出させた非保護位置に移動し、その非保護位置に保持してなる。
【００１７】
一方、転写装置１４を装置本体１０内から取り出すと、その係合凸部とリンク２６との係合が外れてリンク２６を付勢ばねの付勢力で回動し、シャッタ２５を、図２に示すように感光体１１を被った保護位置に移動する。そのようにこの発明による画像形成装置では、シャッタ２５を、図２に示す感光体１１の保護位置と、図１に示すその保護を解除した非保護位置とに移動自在とする。
【００１８】
さて、上述した画像記録時に画像転写後の用紙Ｐがジャムしたため、そのジャム紙を定着装置１６側から取り出すときは、転写装置１４を装置本体１０内から取り出し、図２に示すように、シャッタ２５を保護位置に移動する。そして、図示しないジャム処理用のノブを回動操作し、定着装置１６の定着ローラ１６ａを図中矢示方向に回転してジャム紙Ｓを逆送りする。
【００１９】
そのとき、図２中矢示するように逆送りするジャム紙Ｓの後端が、ジャム紙突当て部２５ｂの第１突当て部分２５ｃに突き当たり、そのジャム紙Ｓが作像装置Ａ内に入り込むことを阻止する。そして、このジャム紙Ｓをシャッタ２５で案内して作像装置Ａ下方の空間へと導き、そこからジャム紙Ｓを取り出す。
【００２０】
他方、このジャム処理時、仮に、転写装置１４を取り出すより先に誤ってジャム処理用ノブを回動操作したとしても、図１中鎖線で示すように、ジャム紙Ｓの後端がジャム紙突当て部２５ｂの第２突当て部分２５ｄに突き当たり、そのジャム紙Ｓが作像装置Ａ内に入り込むことを阻止する。
【００２１】
なお、請求項２に記載の発明では、上述した図示実施の形態に示したように、ジャム紙突当て部２５ｂを、シャッタ２５のような保護部材が保護位置にあるときジャム紙Ｓを突き当てる第１突当て部分２５ｃと、保護部材が非保護位置あるときジャム紙Ｓを突き当てる第２突当て部分２５ｄとで構成してなる、ことを特徴とする。
【００２２】
そして、ジャム処理時にジャム紙Ｓを定着装置１６側から戻すとき、保護部材が保護位置にあると、逆送りするジャム紙Ｓの後端がジャム紙突当て部２５ｂの第１突当て部分２５ｃに突き当たり、また、保護部材が非保護位置にあると、第２突当て部分２５ｄに突き当たり、各々そのジャム紙Ｓの作像装置Ａ内への入り込みを阻止する。
【００２３】
【発明の効果】
したがって、請求項１に記載の発明によれば、ジャム処理時に定着装置側からジャム紙を戻すとき、そのジャム紙を保護部材のジャム紙突当て部に突き当ててその入り込みを阻止することから、従来のようにジャム紙が作像装置内に入り込りこんでジャム処理が面倒になることを防止することができる。
【００２４】
請求項２に記載の発明によれば、ジャム処理時にジャム紙を定着装置側から戻すとき、保護部材が保護位置にあると、ジャム紙がジャム紙突当て部の第１突当て部分に突き当たり、また、保護部材が非保護位置にあると、第２突当て部分に突き当たり、各々そのジャム紙の作像装置内への入り込みを阻止することから、保護部材が保護位置および非保護位置のいずれの位置にあるときでもジャム紙の処理を簡単にすることができる。
請求項３に記載の発明によれば、作像装置を画像形成装置本体に取り付けて、ジャム処理時に定着装置側からジャム紙を戻すとき、そのジャム紙を保護部材のジャム紙突当て部に突き当ててその入り込みを阻止することから、従来のようにジャム紙が作像装置内に入り込りこんでジャム処理が面倒になることを防止することができる。
【図面の簡単な説明】
【図１】この発明の一実施の形態である画像形成装置の画像記録部を、シャッタを非保護位置とした作像装置とともに転写装置を組み付けた状態において示す構成図である。
【図２】その転写装置を取り出した状態を示す状態説明図である。
【図３】上述した画像形成装置の全体概略構成図である。
【図４】従来の画像形成装置の画像記録部を示す構成図である。
【符号の説明】
１１    感光体（像担持体）
１６    定着装置
２５    シャッタ（保護部材）
２０ａ  開口
２５ｂ  ジャム紙突当て部
２５ｃ  第１突当て部分
２５ｄ  第２突当て部分
Ａ      作像装置
Ｓ      ジャム紙
Ｐ      用紙（記録媒体）
【図１】
0003636256.tif 000002
【図２】
0003636256.tif 000003
【図３】
0003636256.tif 000004
【図４】
0003636256.tif 000005